(57)【要約】【課題】表皮材の吸湿と放湿を効率良く行うことにある。【解決手段】シート外形をなすクッション材４Ｐと、クッション材４Ｐを覆う表皮材４Ｓとを備える車両用シート２において、表皮材４Ｓを、吸湿により発熱可能とするとともに、クッション材４Ｐに、外部と連通する連通部２０を設けて、表皮材４Ｓ中の湿気を外部に放散可能とした。【選択図】図１
2010240248.tif 000002
【特許請求の範囲】
【請求項１】
シート外形をなすクッション材と、前記クッション材を覆う表皮材とを備える車両用シートにおいて、
前記表皮材を、吸湿により発熱可能とするとともに、前記クッション材に、外部と連通する連通部を設けて、前記表皮材中の湿気を外部に放散可能とした車両用シート。
【請求項２】
前記クッション材が、前記連通部に通じる案内溝部を有する請求項１に記載の車両用シート。
【請求項３】
前記クッション材と前記表皮材の間に、着座時の押圧により弾縮変形可能な支持部材を介装して、
前記表皮材中の湿気を、前記支持部材に設けた通気部を通じて前記連通部に導く構成とした請求項１又は請求項２に記載の車両用シート。
【発明の詳細な説明】
【技術分野】
【０００１】
本発明は、発熱可能な車両用シートに関する。
【背景技術】
【０００２】
この種の車両用シートとして特許文献１に開示の車両用シートが公知である。この車両用シートは、シート外形をなすクッション体と、クッション体を覆う表皮材と、シートヒータを有する。シートヒータは面状の発熱体であり、シートの着座性などを考慮してクッション体と表皮材の間に介装される。
ところでこの種の車両用シートでは、消費電力の低減（省電力化）が求められている。上述の技術では、シートヒータに通電してシートの着座部等を発熱させるのであるが、このとき表皮材が断熱材となり、シートヒータの消費電力が増加することがあった。
【０００３】
ここで特許文献２には発熱可能な布材の開示がある。この布材は、吸湿によって発熱する性質を有し、例えば架橋アクリル系繊維にて構成される。
そして布材は、吸湿と放湿（吸放湿）を繰り返すことで、通電を要することなく継続的に発熱することができる。そこで車両用シートの表皮材に、特許文献２の布材を用いることで、シートの省電力化を期待することができる。
【先行技術文献】
【特許文献】
【０００４】
【特許文献１】特開平１１−１２８３３号公報
【特許文献２】特開２００４−５５２１９号公報
【発明の概要】
【発明が解決しようとする課題】
【０００５】
しかしながら公知技術では、車両用シートに乗員が着座することにより、表皮材の放湿が妨げられて、車両用シートが効率良く発熱しないことがあった。
本発明は上述の点に鑑みて創案されたものであり、本発明が解決しようとする課題は、表皮材の吸湿と放湿を効率良く行うことにある。
【課題を解決するための手段】
【０００６】
上記課題を解決するための手段として、第１発明の車両用シートは、シート外形をなすクッション材と、クッション材を覆う表皮材とを備える。そして車両用シートは、乗員の保温等のために発熱可能とされるのであるが、この種の構成では消費電力の低減化が望まれる。
そこで本発明では、上述の表皮材を、吸湿により発熱可能とする。そしてクッション材に外部と連通する連通部を設けて、表皮材中の湿気を外部に放散可能とすることにより、表皮材の吸放湿を効率良く行う構成とした。
【０００７】
第２発明の車両用シートは、第１発明の車両用シートであって、上述のクッション材が、連通部に通じる案内溝部を有する。そして表皮材中の湿気を、案内溝部によって連通部にスムーズに導くことで、表皮材の吸放湿をより効率良く行う構成とした。
【０００８】
第３発明の車両用シートは、第１発明又は第２発明の車両用シートであって、上述のクッション材と表皮材の間に、着座時の押圧により弾縮変形可能な支持部材（例えば３Ｄネット体）を介装する。そして表皮材中の湿気を、支持部材に設けた通気部を通じて連通部にスムーズに導く構成とした。
【発明の効果】
【０００９】
本発明に係る第１発明によれば、表皮材の吸湿と放湿を効率良く行うことができる。また第２発明によれば、より効率良く表皮材を発熱させることができる。そして第３発明によれば、車両用シートの着座性を維持しつつ、より効率良く表皮材を発熱させることができる。
【図面の簡単な説明】
【００１０】
【図１】車両用シートの斜視図である。
【図２】シートクッションの一部縦断面図である。
【図３】実施形態２の車両用シートの斜視図である。
【図４】実施形態２のシートクッションの一部縦断面図である。
【図５】実施形態３の車両用シートの斜視図である。
【図６】実施形態３のシートクッションの一部縦断面図である。
【図７】試験装置の側面図である。
【発明を実施するための形態】
【００１１】
以下、本発明を実施するための形態を、図１〜図７を参照して説明する。各図には、適宜、車両用シート前方に符号Ｆ、車両用シート後方に符号Ｂ、車両用シート上方に符号ＵＰ、車両用シート下方に符号ＤＷを付す。
図１の車両用シート２は、シートクッション４とシートバック６とヘッドレスト８を有する。そして本実施形態では、シートクッション４とシートバック６を発熱させて乗員を保温するのであるが、この種の構成ではシートの省電力化を図ることが望まれる。
そこで本実施形態では、吸湿により発熱可能な表皮材Ｓ（４Ｓ，６Ｓ）を用いて、車両用シート２をより効率良く発熱させることとした。
【００１２】
［実施形態１］
本実施形態のシートクッション４とシートバック６は、各々、シート外形をなすクッション材（４Ｐ，６Ｐ）と、クッション材を被覆する表皮材（４Ｓ，６Ｓ）を有する。
そして表皮材（４Ｓ，６Ｓ）の一部又は全部は、後述する吸湿発熱繊維によって構成されている（発熱可能な構成である）。またクッション材（４Ｐ，６Ｐ）は、外部に通じる連通部２０を有する。
ここでシートクッション４の上記構成とシートバック６の上記構成はほぼ同一である。このため以下においては、専らシートクッション４の各構成を詳述することとし、シートバック６には、シートクッション４の各構成に対応する符号を付すことで詳細な説明を極力省略する。以下、各構成について詳述する。
【００１３】
（表皮材）
表皮材４Ｓは、シートの着座面をなす表材１０と、表材１０裏面のパッド材１２を有する。これら部材は、ラミネート等の接合方法によって一体化される。パッド材１２は、湿気を通気可能な多孔性の部材であり、例えばウレタンパッドなどの発泡性の樹脂部材（連続気泡体）を用いることができる。
そして表材１０は、袋状の布帛（織物、編物又は不織布）であり、吸湿により発熱可能な繊維（後述の吸湿発熱繊維）にて構成することができる。
上述の吸湿発熱繊維の線材（紡績糸やフィラメント等）によって表材１０の一部又は全部を作製することにより、表皮材４Ｓ自体が吸湿によって発熱可能となる。
ここで表材１０の一部を吸湿発熱繊維で構成する場合には、表材１０の他部を、吸湿発熱繊維とは異なる他の繊維で構成することができる。他の繊維として、天然繊維、合成繊維及びこれらの混紡繊維を例示することができる。
【００１４】
（吸湿発熱繊維）
上述の吸湿発熱繊維の種類は特に限定しないが、例えばアクリレート系の吸湿発熱繊維（架橋アクリル系繊維）を使用することができる。
ここで架橋アクリル系繊維は、出発繊維としてのアクリルニトリル（ＡＮ）を４０重量％以上、好ましくは５０重量％以上含有するＡＮ系重合体により形成された繊維である。
ここでＡＮ系重合体は、ＡＮ単独重合体、ＡＮと他の単量体との共重合体のいずれでもよい。他の単量体として、ハロゲン化ビニル及びハロゲン化ビニリデン；アクリル酸エステル；メタリルスルホン酸、ｐ―スチレンスルホン酸等のスルホン酸含有単量体及びその塩；メタアクリル酸、イタコン酸等のカルボン酸含有単量体及びその塩；アクリルアミド、スチレン、酢酸ビニル等の単量体を例示することができる。
【００１５】
さらに吸湿発熱繊維として、下記の構成を例示することができる。
例えば吸湿発熱性を有する高分子化合物が付着した繊維を、吸湿発熱繊維として使用することができる。この高分子化合物は、ビニルカルボン酸とビニルモノマーの重合体である（特開２００２−２１２８８０号を参照）。
またアクリル系繊維などの吸湿発熱繊維を３０％以上含有する紡績糸を、吸湿発熱繊維として使用することができる（特開２００３−２２７０４３号を参照）。
【００１６】
（クッション材）
クッション材４Ｐは、シート中央の凹部（着座部Ｃ）と、シート両側の凸部（サイドサポート部Ｌ）と、後述の連通部２０を有する。
このクッション材４Ｐは、軟質ウレタンフォームやスラブウレタンフォームなどの多孔性の部材（独立気泡体や連続気泡体等）にて形成できる。
【００１７】
（連通部）
そして連通部２０は、着座部Ｃをシート上下に貫通する貫通孔である。連通部２０の上部開口が表皮材側に開口するとともに、連通部２０の下部開口がクッション材４Ｐの底部に開口する（目立ちにくい構成である）。
本実施形態では、複数の連通部２０をシート幅方向に並列して形成する。このとき図１を参照して、乗員との接触部（例えばシート後方位置）に複数の連通部２０を配置することが好ましい。そしてクッション材４Ｐを表皮材４Ｓで密着状に被覆することにより、表材１０で意匠面を構成しつつ、連通部２０を表皮材４Ｓで覆う。
【００１８】
またシートバック６（起立時）の連通部２０は、着座部Ｃをシート前後に貫通する貫通孔である。このとき図１を参照して、乗員との接触部（例えばシート下方位置）に複数の連通部２０を配置することが好ましい。そして連通部２０の後部開口がクッション材６Ｐの後部に開口する。
そしてこの種のシートバック６では、その後部が、バックボード部材（図示省略）にて被覆される。このバックボード部材によって連通部２０の後部開口が被覆される（目立ちにくい構成である）。
【００１９】
そして図１及び図２を参照して、車両用シート２に乗員（図示省略）が着座すると、この乗員から発する湿気を表皮材４Ｓ（６Ｓ）が吸湿して発熱する。そして表皮材４Ｓ（６Ｓ）中の湿気が、パッド材１２を通じてクッション材側に放湿されたのち、連通部２０を通じて外部に放散する（シート内外の湿度差に応じて放散される）。このように表皮材４Ｓ（６Ｓ）が吸放湿を繰り返すことで、車両用シート２を発熱させることができる。
このように本実施形態によれば、表皮材４Ｓ（６Ｓ）の吸放湿を効率良く行うことにより、車両用シート２を効率的に発熱させることができる。そして表皮材４Ｓ（６Ｓ）は、通電を要することなく継続的に発熱できるため、車両用シート２の省電力化とともに、車両の燃費を低減することができる。
さらに車両用シート２では、連通部２０によって表皮材４Ｓ（６Ｓ）の湿気が適度に調節される。このため本実施形態では、湿気が原因の不快感（例えば夏場のムレによる不快感）を鎮めることができる。
【００２０】
［実施形態２］
本実施形態の車両用シート２ａは、実施形態１の車両用シート２とほぼ同一の基本構成を備えるため、共通の構造等は対応する符号を付して詳細な説明を省略する。また以下においては、専らシートクッション４の各構成を詳述する。シートバック６には、シートクッション４の各構成に対応する符号を付すことで詳細な説明を省略する。
【００２１】
本実施形態のクッション材４Ｐは、連通部２０と、案内溝部２２（後述）を有する（図３及び図４を参照）。そして本実施形態では、複数の連通部２０が、着座部Ｃの側端に形成されている。このように連通部２０を着座部Ｃの側端に形成することで、クッション材４Ｐの伸縮性（特に着座部Ｃ中央の伸縮性）が維持されて、シートの着座性を好適に維持することができる。
【００２２】
（案内溝部）
そして案内溝部２２は、クッション材４Ｐに形成された凹部である。本実施形態のクッション材４Ｐには、各連通部２０から着座部Ｃ中央に延びる線状の案内溝部２２が形成されている。
なお案内孔部の深さ寸法は特に限定しないが、シートの着座性に悪影響を与えない程度の深さ寸法とすることが好ましい。なお案内溝部２２を浅くしても、湿気（気体）の流通を確保することが可能である。
【００２３】
そして車両用シート２ａに乗員（図示省略）が着座すると、この乗員から発する湿気を表皮材４Ｓが吸湿して発熱する。そして表皮材４Ｓ中の湿気が、パッド材１２を通じてクッション材側に放湿されたのち、案内溝部２２によって連通部２０（着座部Ｃの側端）にスムーズに導かれる。そして連通部２０を通じて外部に放湿することで、表皮材４Ｓの吸放湿をスムーズに繰り返して、車両用シート２ａを効率良く発熱させることができる。
このように本実施形態によれば、シートの着座感を比較的好適に維持しつつ、より効率良く表皮材４Ｓを発熱させることができる。
【００２４】
［実施形態３］
本実施形態の車両用シート２ｂは、実施形態１又は２の車両用シート２（２ａ）とほぼ同一の基本構成を備えるため、共通の構造等は対応する符号を付して詳細な説明を省略する。また以下においては、専らシートクッション４の各構成を詳述する。シートバック６には、シートクッション４の各構成に対応する符号を付すことで詳細な説明を省略する。
【００２５】
本実施形態の車両用シート２ｂは、複数の連通部２０と、後述の支持部材３０を有する（図５及び図６を参照）。
複数の連通部２０は着座部Ｃの側端に形成されている。このように連通部２０を着座部Ｃの側端に形成することで、クッション材４Ｐの伸縮性が維持されて、シートの着座性を好適に維持することができる。
【００２６】
（支持部材）
支持部材３０は、着座時の押圧により弾縮可能なクッション性と、湿気が通過可能な通気性を有する部材である。この支持部材３０を、クッション材４Ｐと表皮材４Ｓの間に介装することでシートの着座性が向上する。
ここで支持部材３０として、三次元立体編物（３Ｄネット体）を例示することができる。例えば本実施形体の支持部材３０（３Ｄネット体）は、天然繊維や合成繊維の線材を三次元的に編製した面状部材であり、乗員の押圧により弾縮可能である。そして支持部材３０（３Ｄネット体）内部には、線材の網目間に空隙（通気部３２）を有する。
【００２７】
さらに支持部材３０として、不織布などの繊維マット体や３次元スプリング構造体を例示することができる。繊維マット体は、天然繊維や合成繊維の線材を積層した面状部材である。繊維マット体は、乗員の押圧によって弾縮可能であり、繊維と繊維の間に空隙（通気部）を有する。
また３次元スプリング構造体は、天然繊維や合成繊維の線材がランダムに交絡集合してなる面状部材である。３次元スプリング構造体は、ゴム弾性を有して乗員の押圧によって弾縮可能であり、繊維と繊維の間に空隙（通気部）を備える。
【００２８】
そして車両用シート２ｂに乗員（図示省略）が着座すると、この乗員から発する湿気を表皮材４Ｓが吸湿して発熱する。このとき表皮材４Ｓ中の湿気は、パッド材１２を通じてクッション材側に放湿されたのち、支持部材３０に設けた通気部３２を通じて連通部２０（着座部Ｃの側端）にスムーズに導かれる。そして連通部２０を通じて外部に放湿することで、表皮材４Ｓの吸放湿をスムーズに繰り返して、車両用シート２ｂを効率良く発熱させることができる。
このように本実施形態では、車両用シート２ｂの着座性を好適に維持しつつ、より効率良く表皮材４Ｓを発熱させることができる。
【００２９】
以下、本実施形態を実施例に基づいて説明するが、本発明は実施例に限定されない。
（実施例１）
実施例１の構成は、実施形態１のシート構成に相当する（図７を参照）。表皮材４Ｓとして、アクリレート系の吸湿発熱繊維を備える織物（表材１０）と、スラブウレタンのパッド材１２を用いた。
本実施例では、重量比で、吸湿発熱繊維６．７％（東洋紡社製、商品名「モイスケア（登録商標）」）とポリエステル（他の繊維）９３．３％とからなる表材１０を使用した。
またクッション材４Ｐ（ウレタンパッド）に、上下に貫通する複数の連通部２０（貫通孔）を設けた。連通部の孔径はφ２０ｍｍに設定した。
そしてクッション材４Ｐの上面側を表皮材４Ｓで被覆するとともに、クッション材４Ｐの下面側を露出させた面状部材（縦４００ｍｍ×横４００ｍｍ×高さ１００ｍｍ）を実施例１のシート構成とした。
【００３０】
（比較例１）
比較例１の表皮材として、１００％ポリエステルの表材（織物）と、スラブウレタンのパッド材を用いた。またクッション材としてウレタンパッドを用いた。
そしてクッション材の上面側を表皮材で被覆するとともに、クッション材の下面側を露出させた面状部材（実施例１と同寸法）を比較例１のシート構成とした。
【００３１】
（参考例１）
参考例１の表皮材として、アクリレート系の吸湿発熱繊維を備える織物（表材）と、スラブウレタンのパッド材を用いた。本実施例では、ポリエステル（他の繊維）９３．３％と、上記アクリレート系吸湿発熱繊維６．７％の表材を使用した。
そしてクッション材の上面側を表皮材で被覆するとともに、クッション材の下面側を露出させた面状部材（実施例１と同寸法）を参考例１のシート構成とした。
【００３２】
（温度測定試験）
本試験では、放熱板４２と、放熱板４２に水を供給する供給機構（容器４４、ポンプ４６、供給パイプ４８）を有する装置４０を用いた（図７を参照）。
放熱板４２は、ラバーヒータを備える銅板（９０ｍｍ×１３０ｍｍ）であり、その一面（表皮材を臨む面）に、ポリエステル製の擬似皮膚４１を貼付した。そして放熱板４２に６つの貫通孔（孔径φ２０ｍｍ）を等間隔に設けて、これら貫通孔から水を表皮材に供給する構成とした。
そして容器４４の水を、放熱板４２によって表皮材４Ｓに付与した。このときの条件は、放熱板４２の温度：３７℃、水の供給量（発汗量）：８０ｍｌ／ｍ２・ｈｒに設定した。そして表皮材表面に取付けたセンサ４７によって表皮材の温度を測定した。
また同様に、比較例１及び参考例１の表皮材の温度測定試験を行った。
【００３３】
（結果及び考察）
上記試験の結果を下記［表１］に示す。
【表１】
2010240248.tif 000003
【００３４】
［表１］を参照して、比較例１では、表皮材の温度がほとんど上がらなかった。また参考例１では、表皮材の温度が若干上昇した（極端な温度上昇はみられなかった）。
これとは異なり、実施例１では、表皮材の温度が３℃以上昇温した（体感温度としては極端な温度上昇であった）。そして実施例１の表皮材は、参考例１と比較して、同一素材を用いたにもかかわらず２.６℃も温度が高かった。
このことから実施例１では、表皮材が吸放湿を繰り返すことで、効率良く昇温したことがわかった。このため実施例１の表皮材によれば、車両用シートを効率良く発熱させて、車両の省電力化を図ることができることがわかった。
【００３５】
本実施形態の車両用シートは、上述した実施形態に限定されるものではなく、その他各種の実施形態を取り得る。
（１）本実施形態では、シート上下に貫通する連通部を説明したが、連通部の構成を限定する趣旨ではない。例えばサイドサポート部Ｌに、シート幅方向に貫通する連通部を設けてもよい。また着座部のみを有するシートクッション（サイドサポート部Ｌを省略した構成）では、着座部の側面に上下に走る溝部（連通部）を設けることができる。
【００３６】
（２）また本実施形態では、単数の連通部２０に通じる案内溝部２２（線状）を例示したが、案内溝部の構成を限定する趣旨ではない。すなわち案内溝部の形状や寸法は、シート構成に応じて適宜設定可能である。例えば着座部の両端に配置する一対の連通部の双方に通じる案内溝部を形成してもよい。また複数の連通部すべてに通じる案内溝部を設けてもよい。また案内溝部は、直線状、湾曲状、波状など各種の線状形状を取り得る。
（３）また本実施形態では、専ら複数の連通部をクッション材に形成したが、単数の連通部をクッション材に形成してもよい。また連通部の形状は、円形や楕円形や半円形、三角形や四角形などの各種形状を取り得る。
【００３７】
（４）また本実施形態では、専らシートクッション４とシートバック６の表皮材を一例に説明した。本実施形態の表皮材は、車両用シートの各構成（ヘッドレスト８やアームレスト等）に適用可能な技術である。なお表皮材は、表材のみで構成されていてもよい。また表皮材は、表材とパッド材と裏基布（布帛）をこの順で積層して構成してもよい。
（５）本実施形態では、表材の一部又は全部を吸湿発熱繊維にて構成する例を説明した。これとは異なり、他の繊維で表材を構成したのち、吸湿発熱繊維の面状体（表材とは別体）を表材に取付けることもできる。
【００３８】
（６）また本実施形態では、シートヒータ（面状の発熱体）を併用することもできる。この場合には、クッション体と表皮材の間にシートヒータを介装するとともに、シートヒータの電源ケーブルを、連通部を介して外部の車載電源に配索することができる（連通部が、ケーブルの配索通路としての機能を有する）。
なおシートヒータは、通気性を備える構成であることが望ましい。例えば、布帛製の基材と、導電糸（加熱線）を有するシートヒータを好適に用いることができる。またクッション材に導線（加熱線）を配設してなるシートヒータを用いることもできる。
【符号の説明】
【００３９】
２     車両用シート
４     シートクッション
６     シートバック
１０     表材
１２     パッド材
２０   連通部
２２     案内溝部
３０     支持部材
３２     通気部
４Ｐ，６Ｐ      クッション材
４Ｓ，６Ｓ      表皮材
【図１】
2010240248.tif 000004
【図２】
2010240248.tif 000005
【図３】
2010240248.tif 000006
【図４】
2010240248.tif 000007
【図５】
2010240248.tif 000008
【図６】
2010240248.tif 000009
【図７】
2010240248.tif 000010